(57)【要約】【課題】従来は、信号中で重要度の高いＶ．２１モデム信号のみを冗長伝送して、パケット数や伝送遅延の増大を抑え、パケット損失による通信停止を抑えているが、Ｖ．２１モデム信号の誤検出を防ぐには、ある程度の分析時間が必要で、その分検出遅延が生じる。従って、確実にＶ．２１モデム信号を冗長伝送するには、その検出遅延分だけ信号を遅延させる必要があり、伝送遅延が増える。【解決手段】入力信号がＦＡＸ信号であるか否かをＦＡＸ信号検出手段で判定し、入力信号の無音から有音への変化を有音エッジ検出手段で検出し、ＦＡＸ信号検出手段においてＦＡＸ信号であると判定され、かつ有音エッジ検出手段において有音エッジが検出されてから所定の時間をタイマ手段でカウントし、タイマ手段が所定の時間をカウントしている間、冗長データを冗長データ生成手段で生成する。【選択図】図１
2006270377.tif 000002
【特許請求の範囲】
【請求項１】
入力信号がファクシミリ信号であるか否かを判定するファクシミリ信号検出手段と、入力信号の無音から有音への変化を検出する有音エッジ検出手段と、上記ファクシミリ信号検出手段においてファクシミリ信号であると判定され、かつ上記有音エッジ検出手段において有音エッジが検出された時を基点に所定の時間をカウントするタイマ手段と、上記タイマ手段が上記所定の時間をカウントしている間冗長データを生成する冗長データ生成手段とを備えることを特徴とするファクシミリ信号伝送装置。
【請求項２】
入力信号がファクシミリ制御信号であるか否かを判定するファクシミリ制御信号検出手段をさらに備え、
上記冗長データ生成手段は、上記タイマ手段が所定時間カウントしている間と、上記ファクシミリ制御信号検出手段において入力信号がファクシミリ制御信号であると判定されている間に冗長データを生成することを特徴とする請求項１に記載のファクシミリ信号伝送装置。
【請求項３】
入力信号が有音か無音かを判定する有音検出手段をさらに備え、
上記冗長データ生成手段は、上記タイマ手段が所定時間カウントしている間で、かつ上記有音検出手段において入力信号が有音であると判定されている間に冗長データを生成することを特徴とする請求項１に記載のファクシミリ信号伝送装置。
【請求項４】
入力信号が有音か無音かを判定する有音検出手段をさらに備え、
上記冗長データ生成手段は、上記タイマ手段が所定時間カウントしている間と、上記ファクシミリ制御信号検出手段において入力信号がファクシミリ制御信号であると判定されている間で、かつ上記有音検出手段において入力信号が有音であると判定されている間に冗長データを生成することを特徴とする請求項２に記載のファクシミリ信号伝送装置。
【請求項５】
上記ファクシミリ信号検出手段は、端末側入力信号または端末側出力信号が２１００Ｈｚトーンであると判定した場合にファクシミリ信号検出状態とし、端末側入力側信号及び端末側出力信号が共に無音である状態が所定の時間継続した場合にファクシミリ信号非検出状態とすることを特徴とする請求項１乃至４の何れかに記載のファクシミリ信号伝送装置。
【請求項６】
上記ファクシミリ信号検出手段は、端末側入力信号がファクシミリ以外の信号であると判定した場合もファクシミリ信号非検出状態とすることを特徴とする請求項５に記載のファクシミリ信号伝送装置。
【請求項７】
上記ファクシミリ信号検出手段は、端末側出力信号がファクシミリ以外の信号であると判定した場合にもファクシミリ信号非検出状態とすることを特徴とする請求項５又は６に記載のファクシミリ信号伝送装置。
【請求項８】
上記ファクシミリ信号検出手段は、端末側入力信号または端末側出力信号が２１００Ｈｚトーンであると判定した場合にファクシミリ信号検出状態とし、端末側入力信号より呼接続情報を抽出して呼の終了を検出した場合にファクシミリ信号非検出状態とすることを特徴とする請求項１乃至４の何れかに記載のファクシミリ信号伝送装置。
【請求項９】
上記ファクシミリ信号検出手段は、端末側入力信号または端末側出力信号が２１００Ｈｚトーンであると判定した場合にファクシミリ信号検出状態とし、呼接続情報を入力する端子をさらに備え、この入力端子からの信号により呼の終了を検出した場合にファクシミリ信号非検出状態とすることを特徴とする請求項１乃至４の何れかに記載のファクシミリ信号伝送装置。
【発明の詳細な説明】
【技術分野】
【０００１】
この発明は、ファクシミリ信号を伝送するファクシミリ信号伝送装置に関するものである。
【背景技術】
【０００２】
近年のＩＰ（Internet Protocol）通信の発展により、電話音声信号やファクシミリ信号をＩＰパケット化して伝送するＶｏＩＰ（Voice over ＩＰ）技術に代表される、音声パケット通信技術が注目されている。パケット網においては網の輻輳などが原因でパケット損失が生じることがあり、このため、装置の受信側において音声信号やファクシミリ信号の一部が欠落する場合がある。ファクシミリ通信においてパケット損失が発生すると、画像信号の一部が欠落した場合は画像がやや乱れる事はあるが通信は正常に行われる。これに対し、制御信号の一部が欠落すると通信プロトコル異常となりファクシミリ通信が停止してしまうなど重大な問題となる。この問題を解決するために、ファクシミリ信号を伝送する場合には同じデータを複数回伝送する冗長伝送技術によってパケット損失耐性を強化する方式が用いられる。但し、冗長伝送を行うと伝送するパケット数及び伝送データ量が増大するため、ネットワークへの負荷が増大する。これを避けるため、ファクシミリ信号の中で重要度の高い制御信号のみを冗長伝送する方式が提案されている。
【０００３】
具体的には下記の通りである。
例えば、特開２００４−２６６３７８号公報に示された従来の装置は、音声符号化部、パケット生成部、冗長パケット生成部、ファクシミリ制御信号検出部及びセレクタを備える。
音声符号化部は、ファクシミリ端末側から音声帯域信号を入力すると、当該音声帯域信号に対して、例えばＩＴＵ（International Telecommunications Union）−Ｔ勧告Ｇ.７１１のような音声符号化を実行し、符号化音声信号としてパケット生成部、冗長パケット生成部及びファクシミリ制御信号検出部に出力する。
【０００４】
パケット生成部は、音声符号化部から符号化音声信号を入力して、そのパケットを生成する。具体的には、符号化音声信号を所定時間ごとのデータに分けたあと、それぞれにパケットヘッダを付加したパケットを生成する。このパケットヘッダは、ＩＰ、ＵＤＰ（User Datagram Protocol）及びＲＴＰ（Real-time Transport Protocol）といったプロトコルのヘッダから構成される。ＲＴＰヘッダには、パケットが順番通りに到着しているかを示すシーケンス情報やパケット到着間隔の揺らぎであるジッタを判断するためのタイムスタンプ情報などが含まれている。これらの情報によって受信装置側でパケット受信の同期やパケットの損失の検出を行うことができる。
【０００５】
冗長パケット生成部は、音声符号化部から符号化音声信号を入力して、複数のデータを冗長させた冗長パケットを生成する。具体的には、過去のデータに最新のデータを添付した冗長パケットを生成して出力する。これにより、パケット損失などの伝送エラーが発生しても、受信装置側では、他の冗長パケットから伝送エラー時のデータを訂正（復元）することができる。
【０００６】
ファクシミリ制御信号検出部では、音声符号化部からの符号化音声信号を解析して、当該音声符号化部が入力した音声帯域信号が、Ｇ３ファクシミリの場合におけるＶ.２１モデム信号のようなファクシミリ制御信号であるか否かを判定し、音声帯域信号がファクシミリ制御信号であれば冗長パケット生成部の出力を選択するようにセレクタを制御する。また、例えば音声信号やＦＡＸ画像データを送信するファクシミリ信号であるＶ.２９モデム信号のようにファクシミリ制御信号でなければパケット生成部の出力を選択するようにセレクタを制御する。セレクタでは、ファクシミリ制御信号検出部からの制御に基づいてパケット生成部及び冗長パケット生成部のうちいずれかを伝送路側に対する出力元として選択し、その出力データを伝送路側に送出する（特許文献１を参照）。
【０００７】
【特許文献１】特開2004-266378号公報（段落番号［００１８］から［００２２］、図４）
【発明の開示】
【発明が解決しようとする課題】
【０００８】
従来のファクシミリ信号伝送装置は以上のように構成されており、ファクシミリ信号の中で重要度の高いＶ．２１モデム信号のみを冗長伝送することによって、伝送パケット数及び伝送データ量の増大を抑えつつ、パケット損失による通信停止の発生を抑えている。Ｖ．２１モデム信号はキャリア周波数が１７５０±１００ＨｚのＦＳＫ（Frequency Shift Keying）変調方式である。従って、高速フーリエ変換などの周波数解析によって１６５０Ｈｚ及び１８５０Ｈｚの周波数成分が強くそれ以外の周波数成分が小さいかどうか、更にレベル変動が少ないかどうかなどを監視し、Ｖ．２１モデム信号かどうかの識別をすることが出来る。但し、他のモデム信号や音声信号をＶ．２１モデム信号と誤検出しないようにするためにはある程度の分析時間が必要であり、その分検出遅延が生じる。この検出遅延は１００〜２００ｍｓ程度であり、例えばＩＴＵ−Ｔ勧告Ｇ．７６３において信号識別器の検出遅延は２００ｍｓ以内という規定がある。従って、確実にＶ．２１モデム信号を冗長伝送するためには、その検出遅延分だけ信号を遅延させておく必要があり、結果として伝送遅延が増大するという課題があった。
【０００９】
この発明は上記のような課題を解決するためになされたもので、ファクシミリ信号の中で重要度の高い信号を選択して冗長伝送すると共に、伝送遅延の増大の少ないファクシミリ信号伝送装置を得ることを目的とする。
【課題を解決するための手段】
【００１０】
この発明に係るファクシミリ信号伝送装置は、入力信号がファクシミリ信号であるか否かを判定するファクシミリ信号検出手段と、入力信号の無音から有音への変化を検出する有音エッジ検出手段と、上記ファクシミリ信号検出手段においてファクシミリ信号であると判定され、かつ上記有音エッジ検出手段において有音エッジが検出された時を基点に所定の時間をカウントするタイマ手段と、上記タイマ手段が上記所定の時間をカウントしている間冗長データを生成する冗長データ生成手段とを備える。
【発明の効果】
【００１１】
この発明に係るファクシミリ信号伝送装置は、ファクシミリ信号の有音エッジを検出し、有音エッジからファクシミリ制御信号の伝送継続時間より少し長い所定時間分の信号を冗長伝送するようにしたので、ファクシミリ信号の中で重要度の高いモデム信号を全て冗長伝送することが可能で、それ以外の信号の大部分は冗長伝送されない。更に、有音検出時間は短いため、符号化部の入力または出力に遅延を挿入する必要はない。
そのため、ファクシミリ信号の中で重要度の高い信号を選択して冗長伝送すると共に、伝送遅延の増大の少ないファクシミリ信号伝送装置を得ることが出来るという効果を奏する。
【発明を実施するための最良の形態】
【００１２】
以下、この発明の実施の形態を説明する。
実施の形態１．
図１はこの発明の実施の形態１によるファクシミリ信号伝送装置を示す構成図である。図１において、端末側は電話回線側でありPCM（Pulse Coded Modulation）符号化されたファクシミリ信号、または電話音声信号が端末側入力端子１５及び端末側出力端子１６から入出力される。ネットワーク側とはパケット回線側であり、パケット化されたファクシミリ信号、電話音声信号がネットワーク側入力端子１７及びネットワーク側出力端子１８から入出力される。端末側入力端子１５よりのＰＣＭ符号化されたファクシミリ信号は、符号化部１、有音／無音判定部２及びファクシミリ信号検出部４に与えられる。符号化部１ではＰＣＭ符号化されたファクシミリ信号を高能率符号化し、符号化データをパケット組立部８及び冗長データ生成部７に出力する。有音／無音判定部２では端末側入力端子１５からの入力信号が有音であるか無音であるかを判定し、判定結果として、有音であれば“１”を、無音であれば“０”を出力する。
【００１３】
有音エッジ検出部３は、有音／無音判定部２の判定結果を入力し、無音から有音への変化（エッジ）があった場合に“１”を、それ以外の場合に“０”を出力する。ファクシミリ信号検出部４は入力信号がファクシミリ信号であるかどうかを判定し、ファクシミリ信号であれば“１”を、電話音声信号のようなファクシミリ以外の信号であれば“０”を出力する。ＡＮＤ演算部５は、有音エッジ検出部３及びファクシミリ信号検出部４の出力信号の論理積を演算して出力する。すなわち、有音エッジ検出部３及びファクシミリ信号検出部４の出力が共に“１”の場合は“１”を、それ以外の場合は“０”を出力する。タイマ部６は、ＡＮＤ演算部５の出力信号が“１”になるとタイマを起動して所定時間この実施の形態では３秒間“１”を出力し、それ以外の時間は“０”を出力する。冗長データ生成部７は、タイマ部６の出力が“１”の場合に符号化部１の出力する符号化データと同じデータ（冗長データ）を出力し、タイマ部６の出力が“０”の場合にはデータの出力を停止する。パケット組立部８は、符号化部１が出力する符号化データ及び冗長データ生成部７が出力する符号化データをパケット化してネットワーク側出力端子１７からネットワーク側に出力する。
【００１４】
ネットワーク側入力端子１８によりネットワークから受信されたパケットは、パケット分解部９で通常の符号化データと冗長データとに分類され、音声符号組立部１０に出力される。音声符号組立部１０では符号化データを音声復号部１１に出力する。この際、ネットワーク上でパケット損失が発生して通常データが損失した場合には冗長データを用いて損失を補う処理が行われる。音声復号部１１は入力した符号化データをPCM符号に復号して、端末側出力端子１６から端末側に出力する。
【００１５】
ここで、図２を用いてファクシミリ通信時に伝送される信号について説明する。この図は２頁分の画像データが伝送される場合の例である。ファクシミリ通信においては、まず受信端末からＣＥＤ（Called Terminal Identification）信号が出力され、通信が開始される。ＣＥＤは2100Hzトーン信号であり、その他の信号はモデム信号である。また、送信端末が出力するＴＣＦ(Training Check Flag)と画像信号は高速モデム信号であり、それ以外の信号は全てＶ．２１モデム信号である。画像信号の継続時間は画像の大きさや精細度によって異なるが、通常、１ページ当り３０秒以上と比較的長時間継続する信号である。また、Ｖ．２１モデム信号の継続時間は短く、通常は１．５秒程度であり、最長でも３秒以内である。なお、ＴＣＦの継続時間も３秒以内である。
【００１６】
図３は、端末側よりファクシミリ信号が入力されたときの、ファクシミリ信号検出部４、有音／無音判定部２、有音エッジ検出部３、及び、タイマ部６の出力を示したものである。この図に示す通り、各ファクシミリ信号の開始と同時に３秒間冗長データが生成されることになる。上述のようにＶ．２１モデム信号の継続時間は最大３秒であるため、Ｖ．２１モデム信号が高能率符号化された符号化データについては全て冗長データが生成され、冗長伝送される。Ｖ．２１モデム信号でない画像信号も初めの３秒間は冗長伝送されることになるが、この信号は通常３０秒以上継続するため、実際にはその大部分は冗長伝送されない。また、ＴＣＦも冗長伝送されるが、この信号は通常の通信の初期に１回伝送される信号である。
【００１７】
以上より、冗長伝送すべきＶ．２１モデム信号全てが冗長伝送され、冗長伝送の必要がない高速モデム信号は一部冗長伝送されるものの、その大部分は冗長伝送されないということが分る。更に、有音／無音の検出は入力信号が一定以上のレベルであるかどうかによって判定可能であるが、これは通常数ｍｓでの判定が可能である。例えばＩＴＵ−Ｔ勧告Ｇ．７６３において、有音検出遅延は２〜４ｍｓというガイドが記載されている。冗長データ生成部７は、端末側入力信号の有音エッジよりも有音検出時間分遅れて冗長動作を開始することになるが、実際には符号化部１が出力する符号化データの複製を生成するため、符号化部１の処理遅延と有音検出遅延とが同じであれば、有音先頭から冗長動作をすることが可能となる。実際に高能率音声符号化に要する処理遅延は１０ｍｓ程度となる。上述のように有音検出遅延は最小で２〜４ｍｓ程度にすることが可能で、これを１０ｍｓとなるようにすることは容易である。つまり有音検出遅延は小さいため、符号化部１の入力または出力に遅延を挿入する必要はないということが分る。
【００１８】
図４は、パケット組立部８の動作を説明するため、符号化部１、ファクシミリ信号検出部４、タイマ部６、及び、冗長データ生成部７の出力と共にパケット組立部８の出力信号を示したものである。この図は、符号化データを２０ｍｓ周期で区切ってパケットを生成する例であり、説明のため符号化部１の出力信号を２０ｍｓ毎に区切って番号付けして示している。この図に示す通り、ファクシミリ信号検出部４において、端末側入力信号がファクシミリ信号であると判定されるとパケット組立部８は２０ｍｓ分データを遅延させる。タイマ部６の出力が“１”となり、冗長データが入力されるとパケット組立部８は、符号化部１及び冗長データ生成部７の出力の両方を２０ｍｓ毎にパケット化する。従って、図に示すように符号化データ７、８、９、１０、１１は２回伝送される。
【００１９】
次に、図５にファクシミリ信号検出部４の内部構成を示す。図５において、２１００Ｈｚトーン検出部４１及び２１００Ｈｚトーン検出部４２は２１００Ｈｚトーン信号を検出し、検出結果を通信開始判定部４４に出力する。通信開始判定部４４は、２１００Ｈｚトーン検出部４１及び２１００Ｈｚトーン検出部４２の何れかにおいて２１００Ｈｚトーン信号が検出されるとファクシミリ通信開始と判定し、判定結果を出力信号生成部４６に出力する。また、有音／無音判定部４３は端末側出力信号の有音／無音を判定し、判定結果を通信終了判定部４５に出力する。通信終了判定部４５は、有音／無音判定部４３からの端末側出力信号の有音／無音判定結果と、有音／無音判定部２から入力した端末側入力信号の有音／無音判定結果とを入力し、端末側入力及び出力信号の両方が同時に３秒以上無音となった時にファクシミリ通信終了と判定し、判定結果を出力信号生成部４６に出力する。
【００２０】
出力信号生成部４６は、通信開始判定部４４の判定結果が通信開始となった時、出力信号を“１”とし、通信終了判定部４５の判定結果が通信終了となった時、出力信号を“０”とし、それ以外のときには出力信号の状態を維持する。図２においてファクシミリ信号を示したように、ファクシミリ通信が開始される際には受信端末よりＣＥＤが出力され、これは２１００Ｈｚトーン信号である。また、ファクシミリ通信中は送信端末、受信端末の何れかが信号を出力しているという特徴があるため、送信側（端末側入力信号）か受信側（端末側出力信号）の何れかが有音状態となっている。以上より、図５に示す構成のファクシミリ信号検出部４は、ファクシミリ通信中は“１”を、それ以外の時には“０”を出力するように動作することが分る。
【００２１】
以上で説明したように、ファクシミリ信号の有音エッジを検出し、有音エッジから3秒分の信号を冗長伝送するようにしたので、ファクシミリ信号の中で重要度の高いＶ．２１モデム信号を全て冗長伝送することが可能で、それ以外の信号の大部分は冗長伝送されない。更に、有音検出時間は短いため、符号化部１の入力または出力に遅延を挿入する必要はない。
以上で明らかなように、この実施の形態１によれば、ファクシミリ信号の中で重要度の高い信号を選択して冗長伝送すると共に、伝送遅延の増大の少ないファクシミリ信号伝送装置を得ることが出来るという効果を奏する。
【００２２】
実施の形態２．
なお、パケット組立部８は、ファクシミリ信号検出部４においてファクシミリ信号が検出されると２０ｍｓの遅延を挿入したが、この数値は２０ｍｓの倍数であれば他の数値でも構わない。例えば、図６に示すように４０ｍｓの遅延を挿入しても良い。この場合、２パケット周期分先行した符号化データが冗長データとして伝送されるので、２パケット連続して損失が発生した場合にも、装置の受信側において符号化データを正常に取り出すことが出来るようになる。
【００２３】
実施の形態３．
図７はこの発明の実施の形態３によるファクシミリ信号伝送装置を示す構成図であり、図において、図１と同一符号は同一または相当部分を示し、異なる部分のみを説明する。
ファクシミリ制御信号検出部１２は端末側入力信号がＶ．２１モデム信号であるかどうかを判定し、Ｖ．２１モデム信号と判定した時には“１”を、そうでない場合には“０”をＯＲ演算部１３に出力する。なお、この検出方法は、高速フーリエ変換などの周波数解析によって１６５０Ｈｚ及び１８５０Ｈｚの周波数成分が強くそれ以外の周波数成分が小さいかどうか、更にレベル変動が少ないかどうかなどを監視し、Ｖ．２１モデム信号かどうかの識別をするものであるため、ある程度の検出遅延が生じる。タイマ部６は、図１に示したファクシミリ信号伝送装置と同様に動作するが、出力信号を“１”に維持する時間を３秒でなく、上記ファクシミリ制御信号検出部１２の検出遅延よりもやや長い時間、例えば、５００ｍｓとする。ＯＲ演算部１３はタイマ部６の出力信号とファクシミリ制御信号検出部１２の出力信号の論理和を演算し、冗長データ生成部７に出力する。その他の部分は、図１に示したファクシミリ信号伝送装置と同様に動作する。
【００２４】
図８は、端末側よりファクシミリ信号が入力されたときの、ファクシミリ信号検出部４、ファクシミリ制御信号検出部１２、有音／無音判定部２、有音エッジ検出部３、タイマ部６、及び、ＯＲ演算部１３の出力を示したものである。この中で、ファクシミリ信号検出部４、有音／無音判定部２、及び、有音エッジ検出部３の出力は、図３と同様である。ファクシミリ制御信号検出部１２はある程度の検出遅延を伴ってファクシミリ制御信号を検出する。タイマ部６の出力は、有音エッジ検出部３の出力が“１”になってから一定時間“１”となり、その点では図３と同様であるが、出力信号を“１”に維持する時間が図３よりも短くなっている。具体的にはファクシミリ制御信号検出部１２の検出遅延よりやや大きい値に設定している。最終的な冗長動作は、このタイマ部６の出力信号とファクシミリ制御信号検出部１２の出力信号との論理和であり、この図に示す通りＶ．２１モデム信号については全てが冗長動作の対象となっていることが分る。
【００２５】
以上で説明したように、この実施の形態３によれば、ファクシミリ制御信号検出部１２の出力信号とタイマ部６の出力信号との論理和によって冗長動作を行うようにしたので、実施の形態１に比べて冗長データ生成部７において出力信号を“１”とする時間を短く出来るので、その分、Ｖ．２１モデム信号以外の信号で冗長動作をする時間を減少させることが可能となる。従って、実施の形態１に示したファクシミリ信号伝送装置に比べネットワークに出力する符号化データの量を減少させることが出来るという効果を奏する。
【００２６】
実施の形態４．
図９はこの発明の実施の形態４によるファクシミリ信号伝送装置を示す構成図であり、図において、図１と同一符号は同一または相当部分を示し、説明を省略する。
ＡＮＤ演算部１４は、有音／無音判定部２の出力信号とタイマ部６の出力信号の論理積演算を行い、その結果を冗長データ生成部７に出力する。その他の部分は、図１と同様に動作する。
【００２７】
図１０は、端末側入力端子１５よりファクシミリ信号が入力されたときの、ファクシミリ信号検出部４、有音／無音判定部２、有音エッジ検出部３、タイマ部６、及び、ＡＮＤ演算部１４の出力を示したものである。ＡＮＤ演算部１４の出力信号は、タイマ部６の出力信号が“１”であり、かつ端末側入力信号が有音の部分のみ“１”となっている。逆に言うと、無音の部分は冗長伝送しないようになっている点が、図３との差異である。
【００２８】
以上で説明したように、この実施の形態４によれば、無音の入力信号に対して冗長動作しないようにしたので、実施の形態１に示したファクシミリ信号伝送装置に比べネットワークに出力する符号化データの量を減少させることが出来るという効果を奏する。
【００２９】
実施の形態５．
図１１はこの発明の実施の形態５によるファクシミリ信号伝送装置を示す構成図である。図において、図１、図７、及び、図９と同一符号は同一または相当部分を示し、説明を省略する。
タイマ部６、ファクシミリ制御信号検出部１２及びＯＲ演算部１３は図７に示したファクシミリ信号伝送装置と、ＡＮＤ演算部１４は図９に示したファクシミリ信号伝送装置と同様に動作し、その他の部分は、図１に示したファクシミリ信号伝送装置と同様に動作する。
【００３０】
図１２は、端末側入力端子１５よりファクシミリ信号が入力されたときの、ファクシミリ信号検出部４、ファクシミリ制御信号検出部１２、有音／無音判定部２、有音エッジ検出部３、タイマ部６、ＯＲ演算部１３、及び、ＡＮＤ演算部１４の出力を示したものである。この中で、ＡＮＤ演算部１４の出力以外は、図８と同様である。ＡＮＤ演算部１４の出力信号は、タイマ部６の出力信号が“１”であり、かつ端末側入力信号が有音の部分のみ“１”となっている。逆に言うと、無音の部分は冗長伝送しないようになっている点が、図８との差異である。
【００３１】
以上で説明したように、この実施の形態５によれば、ファクシミリ制御信号検出部１２の出力信号とタイマ部６の出力信号との論理和によって冗長動作を行うようにしたので、実施の形態１に比べて冗長データ生成部７において出力信号を“１”とする時間を短く出来る。更に、無音の入力信号に対して冗長動作しないようにしたので、実施の形態１〜４に示したファクシミリ信号伝送装置に比べネットワークに出力する符号化データの量を減少させることが出来るという効果を奏する。
【００３２】
実施の形態６．
なお、ファクシミリ信号検出部４を図１３に示す構成としても良い。図において、図５と同一符号は同一または相当部分を示す。
【００３３】
音声／非音声判定部４７は端末側入力信号が電話音声信号であるかどうかを判定して、その判定結果を通信終了判定部４５に出力する。通信終了判定部４５は、有音／無音判定部４３からの端末側出力信号の有音／無音判定結果と、有音／無音判定部２から入力した端末側入力信号の有音／無音判定結果と、音声／非音声判定部４７の判定結果とを入力し、端末側出力及び入力信号の両方が同時に３秒以上無音となった時、及び、端末側入力信号が音声と判定された場合にファクシミリ通信終了と判定し、判定結果を出力信号生成部４６に出力する。この他の部分の動作は図５に示したファクシミリ信号検出部４と同様に動作する。従って、図５に示したファクシミリ信号検出部４との差異は、通信終了と判定する条件に音声が入力された場合が追加された点にある。このため、例えばファクシミリ通信が終了した直後に電話による通話が行われた場合に、図５に示したファクシミリ信号検出部４よりも早く検出状態を解除出来るというメリットがある。
【００３４】
実施の形態７．
更に、ファクシミリ信号検出部４を図１４に示す構成としても良い。この構成では、受信側すなわち端末側出力信号に対する音声／非音声判定部４８を設けたため、ファクシミリ通信が終了した直後に電話による通話が行われた場合に、図１３に示したファクシミリ信号検出部４よりも更に早く検出状態を解除出来るというメリットがある。
【００３５】
実施の形態８．
更に、ファクシミリ信号検出部４を図１５に示す構成としても良い。図において、図５と同一符号は同一または相当部分を示す。
【００３６】
呼制御信号抽出部４９は、端末側入力端子１５からの入力信号に含まれる個別線信号を抽出して、通信終了判定部４５に出力する。通信終了判定部４５は、呼制御信号抽出部４９から入力した個別線信号を監視することによって呼が終了したかどうかを判定し、呼の終了をファクシミリ通信の完了と判定し、判定結果を出力信号生成部４６に出力する。この他の部分の動作は図５に示したファクシミリ信号検出部４と同様に動作する。図５に示したファクシミリ信号検出部４との差異は、通信終了と判定する条件が呼の終了であるという点にある。このため、例えばファクシミリ通信が終了した直後に電話による通話が行われた場合に、図５に示したファクシミリ信号検出部４よりも早く検出状態を解除出来るというメリットがある。
【００３７】
実施の形態９．
また、共通線信号方式が採用されているなど、端末側入力信号から呼制御信号を抽出出来ない場合には、図１６に示すように呼接続情報の入力端子１９を設け、この入力端子１９入力した呼接続情報を基に通信終了判定をするように、ファクシミリ信号検出部４を構成することも可能である。
【産業上の利用可能性】
【００３８】
この発明は、ファクシミリ信号の中で重要度の高い信号を選択して冗長伝送することで、パケット損失による通信停止の発生を抑え、かつ伝送遅延の増大の少ないファクシミリ通信装置が提供できる。
【図面の簡単な説明】
【００３９】
【図１】この発明の実施の形態１によるファクシミリ信号伝送装置を示す構成図である。
【図２】ファクシミリ通信時の伝送信号説明図である。
【図３】冗長データ生成説明用の関連部の出力信号図である。
【図４】パケット組立部動作説明用の関連部の出力信号図である。
【図５】ファクシミリ信号検出部の構成図である。
【図６】実施の形態２によるパケット組立部動作説明用の関連部の出力信号図である。
【図７】実施の形態３によるファクシミリ信号伝送装置を示す構成図である。
【図８】実施の形態３による冗長データ生成説明用の関連部の出力信号図である。
【図９】実施の形態４によるファクシミリ信号伝送装置を示す構成図である。
【図１０】実施の形態４による冗長データ生成説明用の関連部の出力信号図である。
【図１１】実施の形態５によるファクシミリ信号伝送装置を示す構成図である。
【図１２】実施の形態５による冗長データ生成説明用の関連部の出力信号図である。
【図１３】実施の形態６によるファクシミリ信号検出部の構成図である。
【図１４】実施の形態７によるファクシミリ信号検出部の構成図である。
【図１５】実施の形態８によるファクシミリ信号検出部の構成図である。
【図１６】実施の形態９によるファクシミリ信号検出部の構成図である。
【符号の説明】
【００４０】
１；符号化部、２；有音／無音判定部、３；有音エッジ検出部、４；ファクシミリ信号検出部、５；ＡＮＤ演算部、６；タイマ部、７；冗長データ生成部、８；パケット組立部、９；パケット分解部、１０；音声符号組立部、１１；音声復号部、１２；ファクシミリ制御信号検出部、１３；ＯＲ演算部、１４；ＡＮＤ演算部、１５；端末側入力端子、１６；端末側出力端子、１７；ネットワーク側出力端子、１８；ネットワーク側入力端子、１９；呼接続情報入力端子、４１、４２；２１００Ｈｚトーン検出部、４３；有音／無音判定部、４４；通信開始判定部、４５；通信終了判定部、４６；出力信号生成部、４７；音声／非音声判定部、４８；音声／非音声判定部、４９；呼制御信号抽出部。
【図１】
2006270377.tif 000003
【図２】
2006270377.tif 000004
【図３】
2006270377.tif 000005
【図４】
2006270377.tif 000006
【図５】
2006270377.tif 000007
【図６】
2006270377.tif 000008
【図７】
2006270377.tif 000009
【図８】
2006270377.tif 000010
【図９】
2006270377.tif 000011
【図１０】
2006270377.tif 000012
【図１１】
2006270377.tif 000013
【図１２】
2006270377.tif 000014
【図１３】
2006270377.tif 000015
【図１４】
2006270377.tif 000016
【図１５】
2006270377.tif 000017
【図１６】
2006270377.tif 000018